(57)【要約】  構造内への水の浸入を阻害するための取り外し可能な水防壁が提供される。防壁は、可撓性シートから形成され得る。可撓性シートは、不織布ポリプロピレンから形成される第１の層、および高密度ポリエチレンから形成される第２の層を含み得る。シートを構造または隣接するシートに接着するため、接着剤ストリップが、可撓性シートの裏面に事前に適用されてもよい。シートの下部が折り畳まれ、地面に沿って上部から外側に延在し得るように、折り線が提供され得る。可撓性シートを適所に保持し、水の浸入をさらに阻害するために、土嚢が下部上に積み重ねられてもよい。可撓性シートを使用して水の浸入を防止するための方法も提供される。
2018527487.tif 000002
【特許請求の範囲】
【請求項１】
一時的な取り外し可能な水防壁であって、
不織布ポリプロピレンから形成される第１の層および高密度ポリエチレンから形成される第２の層を備える、第１の可撓性防壁シートを備える、防壁。
【請求項２】
前記第１の層および前記第２の層が、一緒に熱融合される、請求項１に記載の防壁。
【請求項３】
前記第１の層が、高視認色である、請求項１に記載の防壁。
【請求項４】
前記第１の層が表面を形成し、前記第２の層が裏面を形成し、前記裏面の上側縁部に近接して第１の接着剤ストリップをさらに備える、請求項１に記載の防壁。
【請求項５】
前記第１の接着剤ストリップが、耐水性接着剤を含む、請求項４に記載の防壁。
【請求項６】
前記第１の接着剤ストリップが、蝋紙カバーストリップの除去によって有効化される、請求項５に記載の防壁。
【請求項７】
前記裏面の下側縁部に近接して第２の接着剤ストリップをさらに備える、請求項４に記載の防壁。
【請求項８】
前記第２の接着剤ストリップが、耐水性接着剤を含む、請求項７に記載の防壁。
【請求項９】
前記第１の可撓性防壁シートの裏面上に、前記第１の可撓性防壁シートの上側縁部と下側縁部との間で側方に延在する１つ以上の端部接着剤ストリップをさらに備える、請求項１に記載の防壁。
【請求項１０】
前記端部接着剤ストリップが、設置の前に前記防壁に適用される、請求項９に記載の防壁。
【請求項１１】
前記端部接着剤ストリップが、防壁設置の間に適用される両面結合テープを備える、請求項１０に記載の防壁。
【請求項１２】
第２の可撓性防壁シートをさらに備え、前記第１の可撓性防壁シートの端部が、前記第２の可撓性防壁シートの端部と重複して設置され、前記端部接着剤ストリップのうちの少なくとも１つが、前記第１の可撓性防壁シートを前記第２の可撓性防壁シートに接着させる、請求項９に記載の防壁。
【請求項１３】
前記第１の可撓性防壁シートが、上部および下部を備え、前記上部が、前記第１の可撓性防壁シートの長さに沿って長手方向に延在する折り線によって前記下部から分割される、請求項１に記載の防壁。
【請求項１４】
前記上部が、前記第１の可撓性防壁シートの幅の約７０％を成し、前記下部が、前記第１の可撓性防壁シートの幅の約３０％を成す、請求項１３に記載の防壁。
【請求項１５】
前記上部が、そこから前記防壁が水の浸入を阻害する構造に近接して設置され、前記下部が、前記構造の外側の地面に近接して設置される、請求項１３に記載の防壁。
【請求項１６】
前記折り線に近接して、前記下部の上に置かれる土嚢をさらに備える、請求項１３に記載の防壁。
【請求項１７】
前記第１の可撓性防壁シートが、中空コアの周りでロール状に巻かれる、請求項１に記載の防壁。
【請求項１８】
前記第１の可撓性防壁シートが、約１メートルの幅および２５メートルの長さである、請求項１７に記載の防壁。
【請求項１９】
平らな底面および前記底面に垂直な下部支持ピンを備える支持基部であって、前記下部支持ピンが、前記下部支持ピンの前記ロール中空コアの端部への挿入を容易にする直径を有する、支持基部と、
上部支持ピンを備える支持ハンドルであって、前記上部支持ピンが、前記上部支持ピンの前記ロール中空コアの端部への挿入を容易にする直径を有する、支持ハンドルと、をさらに備え、
それにより、前記ロールが、前記第１の可撓性防壁シートの配置中に前記支持基部および支持ハンドルの周りで回転することができる、請求項１７に記載の防壁。
【請求項２０】
前記支持ハンドルが、前記上部支持ピンに対して垂直に延在するフランジと、前記フランジの上に取り付けられるハンドル部分と、をさらに備える、請求項１９に記載の防壁。
【請求項２１】
取り外し可能な水防壁であって、
表面、裏面、上縁、および下縁を有する、第１の可撓性防壁シートと、
前記上縁に近接して長手方向に延在する前記防壁シート裏面上に第１の事前適用された接着剤ストリップと、を備える、取り外し可能な水防壁。
【請求項２２】
前記下縁に近接して長手方向に延在する前記防壁シート裏面上に第２の事前適用された接着剤ストリップをさらに備える、請求項２１に記載の取り外し可能な水防壁。
【請求項２３】
前記第１の可撓性防壁シートが、約１メートルの幅を有し、前記第１の事前適用された接着剤ストリップが、約３ｃｍの幅を有し、前記第２の事前適用された接着剤ストリップが、約５ｃｍの幅を有する、請求項２２に記載の取り外し可能な水防壁。
【請求項２４】
前記第１の可撓性防壁シートが、上部および下部を備え、前記上部が、前記第１の可撓性防壁シートの長さに沿って長手方向に延在する折り線によって前記下部から分割される、請求項２１に記載の取り外し可能な水防壁。
【請求項２５】
前記上部が、そこから前記防壁が水の浸入を阻害する構造に近接して設置され、前記下部が、前記構造の外の地面に近接して設置される、請求項２４に記載の取り外し可能な水防壁。
【請求項２６】
前記折り線に近接して、前記下部の上に置かれる土嚢をさらに備える、請求項２５に記載の取り外し可能な水防壁。
【請求項２７】
前記第１の可撓性防壁シートが、中空コアの周りでロール状に巻かれる、請求項２１に記載の取り外し可能な水防壁。
【請求項２８】
平らな底面および前記底面に垂直な下部支持ピンを備える支持基部であって、前記下部支持ピンが、前記下部支持ピンの前記ロール中空コアの端部への挿入を容易にする直径を有する、支持基部と、
上部支持ピンを備える支持ハンドルであって、前記上部支持ピンが、前記上部支持ピンの前記ロール中空コアの端部への挿入を容易にする直径を有する、支持ハンドルと、をさらに備え、
それにより、前記ロールが、前記第１の可撓性防壁シートの配置中に前記支持基部および支持ハンドルの周りで回転することができる、請求項２７に記載の取り外し可能な水防壁。
【請求項２９】
前記支持ハンドルが、前記上部支持ピンに対して垂直に延在するフランジと、前記フランジの上に取り付けられるハンドル部分と、をさらに備える、請求項２８に記載の取り外し可能な水防壁。
【請求項３０】
一時的な水防壁を使用して構造内への水の浸入を阻害するための方法であって、
第１の可撓性防壁シートを構造の外側外周に沿って位置付けるステップであって、前記防壁シートが、前記構造の外の地面に近接する下側縁部を有する、ステップと、
前記第１の可撓性防壁シートの裏面の上側縁部に沿った第１の事前適用された接着剤ストリップを使用して、前記第１の可撓性防壁シートを前記構造に固着するステップと、を含む、方法。
【請求項３１】
第１の可撓性防壁シートを位置付ける前記ステップが、
前記第１の可撓性防壁シートの上部および前記第１の可撓性防壁シートの下部の境界を定める折り線に沿って、前記第１の可撓性防壁シートを折り畳むサブステップと、
その上部が前記構造に近接し、前記下部が前記地面に近接するように、前記第１の可撓性防壁シートを位置付けるサブステップと、を含む、請求項３０に記載の方法。
【請求項３２】
前記第１の可撓性防壁シートの前記下部の上に土嚢を位置付けるステップをさらに含む、請求項３１に記載の方法。
【請求項３３】
前記第１の可撓性防壁シートの裏面の下側縁部に沿った第２の事前適用された接着剤ストリップを使用して、前記第１の可撓性防壁シートを前記構造に固着することをさらに含む、請求項３０に記載の方法。
【請求項３４】
第１の可撓性防壁シートを位置付ける前記ステップが、
安定基部を前記構造の前記外側外周に近接して位置付けるサブステップであって、前記安定基部が、前記地面上に置かれた底部と、前記底部から垂直に延在する下部支持ピンと、を備える、位置付けるサブステップと、
防壁ロールを前記安定基部上に設置するサブステップであって、前記防壁ロールが、中空コアの周りに巻かれた前記第１の可撓性防壁シートを備え、前記中空コアが、前記下部支持ピンが挿入される下端を有する、設置するサブステップと、
安定ハンドルの部分を前記中空コアの上端に挿入することによって、前記防壁ロール上に前記安定ハンドルを設置するサブステップと、
前記防壁ロールが、前記下部支持ピンおよび安定ハンドルの周りで回転することによって展開するように、前記防壁ロールの端部を前記構造の前記外側外周に沿って引っ張るサブステップと、をさらに含む、請求項３０に記載の方法。
【発明の詳細な説明】
【技術分野】
【０００１】
本発明は、建造物および居住施設内への水の浸入等を防止する防壁およびその使用に関する。本発明は、特定の用途を有するが、洪水の事態における用途だけに留まらない。本発明は、これらの用途に限定されず、海から侵入してくる海水の浸入の防止等の他の事態においても使用され得る。
【背景技術】
【０００２】
建造物内への水の浸入を防止するために、土嚢を重ね合わせて置き、防壁を形成している。しかしながら、水は依然として滲出する。
【０００３】
分厚いプラスチックシーティングが、遮水防壁を提供するために使用されている。このシーティングは、通常、ダクトテープによって適所に保持される。このシーティングは、種々の理由から一般的に失敗する。場合によっては、ダクトテープのプラスチックシーティングに対する接着が限られており、水に曝露されると、その接着特性を失い、そのため、プラスチックシーティングが落ちる。
【０００４】
さらに、このプラスチックシーティングは、シーティングが尖った角の周りにある領域において容易に引き裂かれることに悩まされ得る。これらの引裂は、シーティングの完全性に影響し、水がその引裂を通過することを可能にする。
【０００５】
かかる水防壁は、急速に発達する嵐または他の緊急事態の間に配置されることがある。状況によっては、水防壁は、広範囲にわたって迅速に組み立てられなければならない。状況によっては、水防壁は、水防壁の配置に関する経験または専門知識をほとんど持たない志願者、住宅所有者、事業主、または他の個人によって組み立てられる。効果の高い水防壁の急速かつ簡素な配置を可能にすることは、物的損害および他の損失の最小化に有益であり得る。
【発明の概要】
【課題を解決するための手段】
【０００６】
いくつかの実施形態に従って、著しく高度な使用者の専門知識を伴わずに、水の浸入を効果的に防止するための急速な配置に適合された水の遮水防壁が提供される。
【０００７】
いくつかの実施形態では、不織布ポリプロピレン（ＰＰ）の第１の層および遮水高密度ポリエチレン（ＨＤＰＥ）の第２の層を含む、遮水シートが提供される。この２層は、好ましくは、一緒に熱融合されると単一シートを形成する。不織布ポリプロピレンは、好ましくは、可撓性であるが、丈夫であり、耐引裂性である。不織布ポリプロピレンは、好ましくは、シートが水防壁であることを警告するために有色である。不織布ポリプロピレンの色は、好ましくは、高視認色である。
【０００８】
シートは、好ましくは、１メートルの幅のロール状に作製される。シートは、好ましくは、連続ロール状に作製される。シートは、好ましくは、２０メートルの長さのロール状に作製される。
【０００９】
いくつかの実施形態では、遮水シートは、好ましくは、シートの上側縁部またはその近く、かつシートの裏面上に、シートの長手方向軸に沿って延在する少なくとも１つの接着剤ストリップを有する。
【００１０】
いくつかの実施形態では、遮水シートは、２つの接着剤ストリップを有し、その両方が長手方向軸に沿って延在し、一方はシートの上側縁部またはその近くに、および一方はシートの下側縁部またはその近くにある。接着剤ストリップの接着剤は、好ましくは耐水性である。
【００１１】
シートは、シートの幅を横断して、すなわち、シートの上側縁部付近からシートの下側縁部付近にわたって、側方に延在する１つ以上の接着剤ストリップを有し得る。２つ以上の側方に延在する接着剤ストリップが存在する場合、それらは典型的には、シートの長さに沿って互いに離間される。
【００１２】
接着剤ストリップは、好ましくは、ＨＤＰＥ層の側部に沿って延在する。
【００１３】
接着剤ストリップは、好ましくは、使用前に有効化される。接着剤ストリップは、好ましくは、接着剤から裏打ち層を取り外すことによって有効化される。
【００１４】
シートは、好ましくは、背面のＨＤＰＥ層を建造物または構造に対して、および有色のＰＰ層を外側に向けて、位置付けることによって設置される。
【００１５】
単一の長手方向に延在する接着剤ストリップが存在する場合、それは最上部に位置付けられることが好ましい。いくつかの実施形態では、単一の長手方向に延在する接着剤ストリップが存在し、それが最上部に位置付けられる場合、シートの下部は、１つ以上の土嚢等によって適所に保持される。好ましい形態では、シートの下部は、保護される構造から外向きに延在し、土嚢等がその上に位置付けられることを可能にする。
【００１６】
２つの長手方向に延在する接着剤ストリップが存在する場合、シートは、好ましくは、建造物または構造と実質的に同一平面上に位置付けられ、シートは、建造物または構造に実質的に封着される。
【００１７】
２つの別個のシートが作製されてもよく、シートのうちの一方の上にある側方に延在する接着剤ストリップの接着剤を使用して他方のシートと接合することによって、または結合テープを使用して、各シートの側部を建造物または構造に接合するか、もしくは各シートの側部を隣接するシートに接合するかのいずれかによって、重複する２つのシートを結合することによって、実質的に連続した遮水防壁を形成する。結合テープは、好ましくは両面テープである。結合テープは、好ましくは、耐水性接着剤等の接着剤ストリップの接着剤と同じ接着剤を使用する。
【００１８】
別の態様では、建造物または構造内への水の浸入を阻害するシステムが提供され、該システムは、上述の１つ以上の遮水シートを有することと、１つ以上の遮水シートの１つ以上の接着剤ストリップの接着剤を有効化することと、建造物または構造に対して遮水シートを位置付けることと、を含む。
【００１９】
別の態様では、システムは、安定基部およびハンドルを含み、その間で遮水シートのロールが固着され得る。別の態様では、遮水シートを使用して水の浸入を阻害するための方法が提供される。
【００２０】
これらおよび他の装置、システム、ならびに方法が、本明細書に記載される。１つの態様に関連して記載される特徴は、他の実施形態において、適用可能な場合、すべての他の態様に適用され得る。さらに、記載される特徴の異なる組み合わせが本明細書に記載され、明示的に定められない場合であっても、特許請求され得る。
【図面の簡単な説明】
【００２１】
本実施形態をより容易に理解することができるように、ここで、ある特定の好ましい実施形態を例示する添付図面を参照する。
【００２２】
【図１】第１の実施形態による、遮水シートの断面背面図である。
【図２】建造物に適用される、図１の遮水シートの正面図である。
【図３Ａ】配置を容易にする安定基部およびハンドルを有する遮水シートロールの分解斜視図である。
【図３Ｂ】使用するために組み立てられた、図３Ａの実施形態の斜視図である。
【図３Ｃ】配置途中である３Ｂの実施形態の斜視図である。
【図４】別の実施形態による、遮水シートの正面図である。
【図５】図４の実施形態の背面図である。
【図６】構造に適用される、図４の実施形態の正面図である。
【発明を実施するための形態】
【００２３】
本発明は、多くの異なる形態の実施形態が可能であるが、本開示は、本発明の原理の例示として見なされるべきであり、本発明を例示される実施形態に限定することを意図するものではないという理解の下で、いくつかの特定の実施形態が図面に示され、本明細書において詳細に記載される。
【００２４】
図１および２を参照すると、遮水シートの第１の好ましい実施形態が示される。遮水シート１０は、２つの熱融合された層を含む。第１の層は、不織布ポリプロピレンであり、第２の層は、遮水高密度ポリエチレンである。高密度ポリエチレン層は、水がシート１０を通過することを防止する。不織布ポリプロピレン層は、実質的な引裂抵抗および穿刺抵抗を提供する完全性および可撓性を有するシート１０を提供する。シート１０は、２つの長手方向に延在する接着剤ストリップ１１および１２を有し、向かい合った長手方向縁部１３に隣接して位置付けられる。接着剤ストリップ１１および１２は、遮水高密度ポリエチレン層を有するシート１０の内側１４上に位置付けられる。反対の外側１５は、好ましくは明るい色であり、人々にシーティング１０の存在を警告する可能性がある。いくつかの実施形態では、シート１０の一部またはすべての表面は（好ましくは少なくとも外面１５を含む）、明るいオレンジ色または赤色であり、緊急時および／または低照度時の視認を容易にする。
【００２５】
好ましい形態では、上部接着剤ストリップ１１および下部接着剤ストリップ１２は、それぞれ、約３ｃｍおよび５ｃｍの幅を有する。両方の接着剤ストリップ１１および１２は、接着剤を有効化および使用する必要があるときに、剥離され得る蝋紙カバーを有する。底部ストリップ１２の接着剤は、好ましくは耐水性である。上部ストリップ１１の接着剤も、耐水性であり得る。
【００２６】
いくつかの実施形態では、シート１０は、ロール上に提供され、その設置の間に展開される。いくつかの実施形態では、シート１０は、約１メートルの幅および２０または２５メートルの長さを有する。シート１０の全長未満の水防壁の長さを必要とする場所に関しては、シート１０は、典型的には横方向に、概して端部１７と平行に、使用者によって切断され得る。シート１０（または切断後に残ったその残部）の長さを超える水防壁の長さを必要とする場所に関しては、複数のシートが一緒に結合され得る。複数のシートは、シートの短い部分を重複させることによって一緒に結合することができ、一方のシートの裏側が隣接するシートの表側と重複および接触する。
【００２７】
いくつかの実施形態では、横方向の接着剤ストリップが、遮水シート上に提供されるか、または遮水シートに適用され、シートと隣接するシート部分との結合、または建造物もしくは他の構造への結合を容易にする。例えば、横方向の接着剤ストリップ１６がシート１０の裏側１４上に提供される。接着剤ストリップ１６は、接着剤ストリップ１１および１２と同様にシート１０内に組み込まれてもよく、または両面結合テープのストリップの適用等を介して、設置中に使用者によって適用されてもよい。
【００２８】
図２を特に参照すると、建造物１８の側面に設置されているシート１０が示される。シート１０は、建造物または構造壁に対して同一平面上に遮水ＨＤＰＥ層を有する内側１４を用いて設置される。不織布ポリプロピレン層を有する外側１５は、外側に向けて設置される。設置中、下部シート縁部１９が、基礎スラブ、舗装、もしくは他の周囲面等の建造物または構造壁と隣接する地面と当接するように、シート１０は建造物１８と実質的に同一平面上に位置付けられる。設置中、接着剤ストリップ１１が建造物１８の表面に接着し、それによりシート１０を適所に保持するように、上部長手方向接着剤ストリップ１１の蝋紙裏打ちが剥離され得る。同様に、下部長手方向接着剤ストリップ１２は、シート１０をさらに固着し、水の浸入を最小化するために、建造物１８に、または地面に近接して接着され得る。
【００２９】
嵐または他の緊急事態の開始前または開始中等、状況によっては、水防壁を急速かつ潜在的に広い設置範囲にわたって設置する必要があり得る。設置を援助するために限られた人員が応対可能であり得る。個人の住宅所有者、小事業主、または志願者等の設置者は、効果的な防壁配置に関して訓練をほとんど受けていないことがある。これらおよび他の理由のため、急速かつ簡単な配置を容易にする形態で本明細書に開示される水防壁の実施形態を提供することが、望ましくあり得る。
【００３０】
図３は、水の遮水シート３０が、シート１０と同様に構築され、ロール形態で提供される、１つのそのような実施形態を例示する。図３Ａは、支持基部３４および支持ハンドル３６を使用して設置される、水の遮水シートロール３０の分解図を例示する。中空コア３２は、ロール３０の中心を通って側方に延在し、好ましくは、シート３０がその周りに巻かれる、硬質の耐水性材料から形成される管である。ロール３０の配置は、支持基部３４および支持ハンドル３６によって容易になる。使用中、支持基部３４は、設置の場所に近接する地面に対して位置付けられ、垂直の下部支持ピン３５を含む。支持ピン３５の直径は、中空コア３２の底端部内に挿入するように適合される。支持ハンドル３６は、上部支持ピン３７、フランジ３８、ハンドル部分３９を含む。上部支持ピン３７は、中空コア３２の上端内に挿入される。フランジ３８は、ロール３０の上端部に対して置かれ、ハンドル３９は、使用者による手動の支持に好都合な場所を提供する。
【００３１】
図３Ｂは、使用するために組み立てられた、図３Ａのシート配置構成を例示する。図３Ｃは、実際に使用中の図３Ａのシート配置構成を例示する。いくつかの使用事例では、一方の個人が、ハンドル３９を保持し、ロール３０の位置および配向を制御することができ、第２の個人は、防壁が設置されるべき場所を横断してシート３０の先端４０を引っ張る。この場合、シート３０は、それによって急速に展開され、２人の個人によって設置され得る。
【００３２】
別の実施形態が図４、５、および６に示される。図４は、水防壁シート２０の正面図である。シート２０は、不織布ポリプロピレンの第１の層および高密度ポリエチレンの第２の遮水層を備える。不織布ポリプロピレン層は、人々に製品を警告し、向上された視認性を提供するように、明るい色である。図１の実施形態のように、シート２０は、約１メートルの幅を有する。図４の実施形態では、シート２０の幅は、約７０ｃｍの幅を有する上部２１および約３０ｃｍの幅を有する下部２２の２つの不均等な区分に分割される。区分２１および２２は、折り線２６によって境界を定められる。いくつかの実施形態では、折り線２６は、シート２０の前面および／もしくは背面上に印刷された点線、破線、または他の印等の視覚的合図として形成される。他の実施形態では、折り線２６は、事前に折り畳む、溶接、または弱線等、線２６の長さに沿って折り畳むことを容易にするために、関連付けられる物理的構造を任意に含む。
【００３３】
図５は、設置用に準備する際、長い線２６で折り畳まれる、シート２０の背面斜視図を提供する。長手方向に延在される約３ｃｍ幅の接着剤ストリップ２５は、シート２０の上縁に近接して延びる。例示される実施形態では、長手方向に延在される下部接着剤ストリップは存在しない。シート２０は、好ましくは、外側２３上に不織布ポリプロピレン層を有して設置され、高密度ポリエチレン層は、内側２４上にある。接着剤ストリップ２５は、内側２４の上縁に沿って延在する。
【００３４】
図６は、建造物の戸口２８を含む例示的な構造に対して設置される、シート２０を例示する。好ましくは、シート２０は、接着剤ストリップ２５上に蝋紙接着剤カバーストリップを有して提供される。シート２０は、蝋紙カバーを剥離し、そこに沿ってシート２０が設置される建造物または構造の側部（例えば、戸口２８および／または囲壁）に接着剤ストリップ２５を接合させることによって、設置される。下部２２は、折り線２６に沿って、概して上部２１と垂直に、かつ上部２１から外向きに延在して、外向きに折り畳まれる。上部２１は、防壁が水の浸入を防止することが意図される建造物または構造の側面に当接して設置され、下部２２は、スラブ、舗装、または建造物と隣接する他の表面と当接して設置される。次いで、土嚢等が、シート２０を適所に保持することを補助し、シート２０の下からの水の浸入を防止することを補助するために、折り線２６に近接して下部２２の上に位置付けられてもよい。シート２０の端部２９は、シート２０の上側縁部とシート２０の下側縁部との間に横方向に延在する端部接着剤ストリップ２７を使用して、適所に保持されてもよい。いくつかの実施形態では、端部接着剤ストリップ２７は、両面結合テープから形成され得る。他の実施形態では、端部接着剤ストリップ２７は、接着剤ストリップ２５と同様にシート２０内に統合されてもよく、例えば、設置前にシート２０に適用されてもよい。
【００３５】
いくつかの実施形態では、典型的な大きさの戸口または窓の径間に特に適した長さを有するシート２０が提供され、それによって、一般的な使用シナリオにおいて急速な設置を容易にする。
【００３６】
シート１０、２０、および３０は各々、不慮の穿刺および引裂に抵抗するか、またはそれらを排除しながら、鋭い縁部または四角形の縁部の周りおよびその上への位置付けに適合される。建具またはパイプに近接する場所に設置されるとき、シート１０、２０、および３０は、その建具およびパイプの周りに合うように切断され得る。これらの使用事例では、シートは、好ましくは、切り抜き場所の周りの、シート裏側への両面結合テープの適用等を介して、その切り抜きの周りに封着される。そのような封着技法は、切り抜き場所においてシートの背後での水の浸透を阻害することができる。
【００３７】
本明細書に記載されるいくつかの実施形態は、実践的な用途においてある特定の利点を提供することができる。例えば、相補的特性を有する２つの異なる層を備える例示的なシート構築は、シートが、耐引裂性および耐穿刺性になり、そこを通る水の通過に対する遮水を可能にすることを補助し得る。そのような遮水シートの使用は、建造物もしくは構造内の、または建造物もしくは構造の異なる部分を通る水の浸入等を防止するために効果的な防壁を提供する。シートの実施形態は、非常に簡単に使用および設置することができる。いくつかの実施形態は、比較的安価なおよび／または使い捨て製品として実装され得る。いくつかの実施形態は、水道本管の破裂または増水した川の水面上昇からの突然の洪水の場合に、非常に迅速に設置され得る。いくつかの実施形態を使用して、嵐および低気圧の間、または異常な高潮から生じる高い海水位の状況において、家への海水の通過を防止することもできる。
【００３８】
当然のことながら、本発明の例として前述のものが提供されたが、そこに対するすべてのかかるおよび他の修正ならびに変形は、当業者に明らかであるように、本明細書に示される本発明の広い範囲内に含まれると見なされることが理解される。
【００３９】
本明細書の発明を実施するための形態および特許請求の範囲の全体を通して、「ｃｏｍｐｒｉｓｅ」という語ならびに「ｃｏｍｐｒｉｓｅｓ」および「ｃｏｍｐｒｉｓｉｎｇ」等のその語の変形は、他の付加物、構成要素、整数、またはステップを除外することを意図するものではない。
【図１】
2018527487.tif 000003
【図２】
2018527487.tif 000004
【図３Ａ】
2018527487.tif 000005
【図３Ｂ】
2018527487.tif 000006
【図３Ｃ】
2018527487.tif 000007
【図４】
2018527487.tif 000008
【図５】
2018527487.tif 000009
【図６】
2018527487.tif 000010
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
水の進入を防ぐための構造の手動の適用のための一時的な取り外し可能な水防壁システムであって、
多層の非吸収性材料を備える第１の可撓性防壁シートであって、中空コアの周りでロール状に巻かれる第１の可撓性防壁シートと、
平らな底面および前記底面に垂直な下部支持ピンを備える支持基部であって、前記下部支持ピンが、前記下部支持ピンの前記ロール中空コアの端部への手動の挿入を容易にする直径を有する、支持基部と、
上部支持ピンを備える支持ハンドルであって、前記上部支持ピンが、前記上部支持ピンの前記ロール中空コアの端部への手動の挿入を容易にする直径を有する、支持ハンドルと、を備え、
それにより、前記構造の下側縁部の周りへの前記第１の可撓性防壁シートの展開中に、前記ロールが、前記支持基部および支持ハンドルの周りで回転することができる、
水防壁システム。
【請求項２】
前記第１の可撓性防壁シートの裏面の上側縁部に近接して第１の接着剤ストリップをさらに備える、請求項１に記載の防壁。
【請求項３】
前記第１の接着剤ストリップが、耐水性接着剤を含む、請求項２に記載の防壁。
【請求項４】
前記裏面の下側縁部に近接して第２の接着剤ストリップをさらに備える、請求項２に記載の防壁。
【請求項５】
前記第１の可撓性防壁シートの裏面上に、前記第１の可撓性防壁シートの上側縁部と下側縁部との間で側方に延在する１つ以上の端部接着剤ストリップをさらに備える、請求項１に記載の防壁。
【請求項６】
第２の可撓性防壁シートをさらに備え、前記第１の可撓性防壁シートの端部が、前記第２の可撓性防壁シートの端部と重複して設置され、前記端部接着剤ストリップのうちの少なくとも１つが、前記第１の可撓性防壁シートを前記第２の可撓性防壁シートに接着させる、請求項５に記載の防壁。
【請求項７】
前記第１の可撓性防壁シートが、約１メートルの幅および２５メートルの長さである、請求項１に記載の防壁。
【請求項８】
前記支持ハンドルが、前記上部支持ピンに対して垂直に延在するフランジと、前記フランジの上に取り付けられるハンドル部分と、をさらに備える、請求項１に記載の防壁。
【請求項９】
取り外し可能な水防壁であって、
表面、裏面、上縁、および下縁を有する、第１の可撓性防壁シートと、
前記上縁に近接して長手方向に延在する前記防壁シート裏面上に第１の事前適用された接着剤ストリップと、
前記下縁に近接して長手方向に延在する前記防壁シート裏面上に第２の事前適用された接着剤ストリップと、を備える、取り外し可能な水防壁。
【請求項１０】
前記防壁シート裏面の上部縁と下部縁との間に横方向に延在する１以上の事前適用された接着剤端部ストリップをさらに備える、請求項９に記載の取り外し可能な水防壁。
【請求項１１】
前記第１の可撓性防壁シートが、約１メートルの幅を有し、前記第１の事前適用された接着剤ストリップが、約３ｃｍの幅を有し、前記第２の事前適用された接着剤ストリップが、約５ｃｍの幅を有する、請求項９に記載の取り外し可能な水防壁。
【請求項１２】
前記第１の可撓性防壁シートが、上部および下部を備え、前記上部が、前記第１の可撓性防壁シートの長さに沿って長手方向に延在する折り線によって前記下部から分割され、前記上部が、そこから前記防壁が水の浸入を阻害する構造に近接して設置され、前記第１の可撓性防壁シートの幅の約７０％を成し、前記下部が、前記構造の外の地面に近接して設置され、前記第１の可撓性防壁シートの幅の約３０％を成す、請求項９に記載の取り外し可能な水防壁。
【請求項１３】
手動で設置される一時的な水防壁を使用して構造内への水の浸入を阻害するための方法であって、
安定基部を前記構造の前記外側外周に近接して位置付けるステップであって、前記安定基部が、前記地面上に置かれた底部と、前記底部から垂直に延在する下部支持ピンと、を備える、位置付けるステップと、
防壁ロールを安定基部上に設置するステップであって、前記防壁ロールが、中空コアの周りに巻かれた第１の可撓性水不浸透防壁シートを備え、前記中空コアが、前記下部支持ピンが挿入される下端を有する、設置するステップと、
安定ハンドルの部分を前記中空コアの上端に挿入することによって、前記防壁ロール上に前記安定ハンドルを設置するステップと、
前記防壁ロールが、前記下部支持ピンおよび安定ハンドルの周りで回転することによって展開するように、前記防壁ロールの端部を前記構造の前記外側外周に沿って引っ張るステップと、
前記第１の可撓性防壁シートの裏面の上側縁部に沿った第１の事前適用された接着剤ストリップを使用して、前記第１の可撓性防壁シートを前記構造に固着するステップと、を含む、方法。
【請求項１４】
前記第１の可撓性防壁シートの上部および前記第１の可撓性防壁シートの下部の境界を定める折り線に沿って、前記第１の可撓性防壁シートを折り畳むステップと、
その上部が前記構造に近接し、前記下部が前記地面に近接するように、前記第１の可撓性防壁シートを位置付けるステップと、をさらに含む、請求項１３に記載の方法。
【請求項１５】
前記第１の可撓性防壁シートの裏面の下側縁部に沿った第２の事前適用された接着剤ストリップを使用して、前記第１の可撓性防壁シートを前記構造に固着することをさらに含む、請求項１３に記載の方法。
【国際調査報告】
2018527487.tif 000011
2018527487.tif 000012
2018527487.tif 000013